(57)【要約】【課題】記録された番組の一括消去時の煩わしい操作を省略し、使用者の利便性を向上させる。【解決手段】記録された番組毎に消去設定の区別（未設定、即消去、消去可、消去不可）を番組タイトル等と併せて、番組情報として記録媒体に保持するようにする。再生が終了する毎に、当該番組の消去設定を使用者の指示により行う。そして、使用者が一括消去を指示すると、「消去可」の番組が抽出され、一覧表示される。次に、使用者が、「全消去」を指示すると、確認メッセージを経て、一覧表示された番組が全部消去される。なお、一覧表示画面において、特定の番組を指定し、消去設定を、変更することもできる。【選択図】図２
2006318522.tif 000002
【特許請求の範囲】
【請求項１】
映像、音声、データのうち少なくとも一つを含むコンテンツを記録媒体に記録する記録手段と、
前記記録媒体からコンテンツを読み出して再生する再生手段と、
前記再生に引き続いて、コンテンツの消去条件または記録保持条件を受付けて前記コンテンツと対応付けて設定して前記記録媒体に記憶し、
設定された前記消去条件または記録保持条件を反映して、前記記録媒体に記録されたコンテンツを消去する番組管理手段とを具備したことを特徴とする記録再生装置。
【請求項２】
前記番組管理手段は、コンテンツの記録時に、タイトル、記録日時、記録時間のうち少なくとも一つを含む番組情報をコンテンツと対応付けて記録媒体に記録することを特徴とする請求項１記載の記録再生装置。
【請求項３】
前記番組管理手段は、消去条件として、「即消去」、「消去可」、「消去不可」、「未設定」のいずれかを設定することを特徴とする請求項１記載の記録再生装置。
【請求項４】
前記番組管理手段は、記録保持条件として、記録保持期間を設定することを特徴とする請求項１記載の記録再生装置。
【請求項５】
前記番組管理手段は、前記記録媒体から、消去条件または記録保持条件
に基づいて番組情報を読み出して表示し、消去確認を受付けた後に、前記コンテンツを消去することを特徴とする請求項１乃至請求項４のいずれか一項に記載の記録再生装置。
【請求項６】
前記番組管理手段は、消去条件が「消去可」であるコンテンツの番組情報
を読み出して表示することを特徴とする請求項５記載の記録再生装置。
【請求項７】
映像、音声、データのうち少なくとも一つを含むコンテンツを記録媒体に記録して再生する記録再生装置におけるコンテンツ再生方法であって、
前記記録媒体からコンテンツを読み出して再生するステップと、
コンテンツの消去条件を受付けて前記コンテンツ対応付けて設定し前記記録媒体に記憶するステップと、
前記消去条件を反映してコンテンツを削除するステップと
を含むことを特徴とするコンテンツ再生方法。
【発明の詳細な説明】
【技術分野】
【０００１】
本発明は、ハードディスクレコーダをはじめとした記録媒体を搭載した記録装置において、搭載されている記録媒体の残量が少なくなり、残量を新たに確保するべく不要な番組を消去する場合、簡単な操作で不要な番組を一括して消去する番組管理方法に関するものである。
【背景技術】
【０００２】
これまで、記録媒体は、ＶＨＳなどのテープメディアが主流であったが、近年ではハードディスクや光ディスクといったディスクメディアが急速に普及してきている。ディスクメディアでは、再生する番組や記録する空き領域を高速に検索できるため、テープメディアのような頭出し操作が必要なく、これにより、使用者の利便性が向上されている。
【０００３】
以下に、従来の番組管理方法について説明する。
【０００４】
ハードディスクなどのディスクメディアに記録する場合、テープメディアのように上書きするのではなく、空き領域を検索し、記録を行う。記録媒体の容量が不足してきた場合には、使用者により、既存の番組を消去することで、残量を確保する。なお、番組を消去するには、番組一覧などを画面に表示し、使用者がその中から不要な番組を選択、確認し、不要と判断したら、消去操作を行い、消去が実行される。
【０００５】
また、特許文献１には、放送番組の記録予約時に、当該放送番組の記録保持条件を設定し、記録保持条件に外れた放送番組を、記録媒体の残量が少なくなった時点で自動的に消去する構成とした放送番組記録装置が開示されている。
【特許文献１】特開２００３−３１８９３９号公報
【発明の開示】
【発明が解決しようとする課題】
【０００６】
しかしながら上記の従来の構成では、残量を確保するためには、使用者により、番組消去操作を行う必要があるが、消去操作については、その多くが、まず、番組管理メニューなどで番組一覧を表示し、次にその中から番組を選択、消去の可否を判断し、消去操作を行い、更に消去する際にも誤消去を防止するための消去確認への返答を行う、など、数段階の手順を踏むことが必要であり、更に、複数の番組を消去したいような場合には、番組毎にこれらの手順が必要であり、番組の消去作業は、使用者にとって煩わしい作業であるという問題を有していた。
【０００７】
一方、特許文献１に開示された方法では、記録予約時に記録保持条件を設定するが、この時点では、使用者は、放送番組の内容を視聴していないのが通常であるので、適切な設定ができるとは限らない。さらに、自動削除を用いるため、記録保持条件が適切でないと、記録媒体の容量を無駄に消費する結果となる。
【０００８】
本発明は上記従来の問題点を解決するもので、視聴を終了し、かつ保存する必要の無い番組など、使用者が不要とする番組を自動的に抽出し、一括して消去することで、番組消去における煩わしい操作を省略し、使用者の利便性を向上させることを目的とする。
【課題を解決するための手段】
【０００９】
この目的を達成するために本発明の記録再生装置は、映像、音声、データのうち少なくとも一つを含むコンテンツを記録媒体に記録する記録手段と、前記記録媒体からコンテンツを読み出して再生する再生手段と、前記再生に引き続いて、コンテンツの消去条件または記録保持条件を受付けて前記コンテンツと対応付けて設定して前記記録媒体に記憶し、設定された前記消去条件を反映して、前記記録媒体に記録されたコンテンツを消去する番組管理手段とを具備したことを特徴としている。この構成によって、本発明の記録再生装置は、視聴を終了し、かつ保存する必要の無い番組など、使用者が不要とする番組を自動的に抽出し、一括して消去することで、番組消去における煩わしい操作を省略し、使用者の利便性を向上させることができる。
【００１０】
さらに、本発明の記録再生装置は、コンテンツの記録時に、タイトル、記録日時、記録時間のうち少なくとも一つを含む番組情報をコンテンツと対応付けて記録媒体に記録し、前記記録媒体から、消去条件または記録保持条件に基づいて番組情報を読み出して表示し、消去確認を受付けた後に、前記コンテンツを消去する番組管理手段を具備することを特徴としている。この構成により、消去時に、消去対象を一つずつ指定する煩わしい操作を省略することができる。
【００１１】
さらに、本発明の記録再生装置は、上記の構成に加え、コンテンツの記録時に、タイトル、記録日時、記録時間のうち少なくとも一つを含む番組情報をコンテンツと対応付けて記録媒体に記録し、番組情報を読み出して表示し、消去確認を受付けた後に、前記コンテンツを消去する番組管理手段を具備することを特徴としている。この構成により、使用者は消去対象となる番組の消去の可否を最終的に確認してから、消去することができる。
【００１２】
さらに、本発明の記録再生装置は、上記の構成に加え、消去候補として指定されたコンテンツを消去した場合の記録媒体の空き容量を算出し、表示することを特徴としている。
【００１３】
この構成により、現在の消去条件による消去で空き容量の確保に十分かどうかを見極めることができる。
【発明の効果】
【００１４】
本発明の記録再生装置および番組管理方法によれば、視聴を終了し、かつ保存する必要の無い番組など、使用者が不要とする番組を自動的に抽出し、一括して消去することで、番組消去における煩わしい操作を省略し、使用者の利便性を向上させることができる。また、消去の直前に消去設定を変更することで、消去対象から除外することができるという効果を得ることができる。
【発明を実施するための最良の形態】
【００１５】
（実施の形態１）
以下、本発明の実施の形態１について、図１を用いて説明する。図１は、本発明を実施した記録再生装置の構成を示すブロック図である。記録再生装置１００は、図１に示すように記録手段１１、再生手段１２、記録媒体１３、番組管理手段１４、通知手段１５を具備している。さらに、記録再生装置１００は、再生手段１２と通知手段１５を通じて、ＴＶモニタ２００に接続されている。記録手段１１は、放送番組の映像／音声信号を受けて、それを記録媒体１３に記録するとともに、番組のタイトル、記録日時等の情報を抽出して番組管理手段１４に送出する。再生手段１２は、使用者の再生指示を受付けて、記録媒体１３から特定の放送番組を読み出しＴＶモニタ２００に表示する。番組管理手段１４は、記録手段１１より、番組タイトル等の番組情報を受信して、番組情報テーブルとして、記録媒体１３に格納し、使用者の指定を受付けて、番組毎に消去設定の情報を設定する。
【００１６】
また、番組管理手段１４は、使用者が、記録された番組一覧の表示を指示したときには、記録媒体１３より番組情報テーブルを読み出し、当該テーブルに格納された番組情報を通知手段１５に送出する。通知手段１５は、受信した番組情報を一覧表の形に加工して使用者向けのメッセージに加工し、ＴＶモニタ２００に表示する。また、使用者は、ＴＶモニタに表示されるメニュー画面を見て、附属の入力デバイス（図示せず）でメニュー項目を選択することにより、記録再生装置１００の動作を指定できるようになっている。
【００１７】
図２は、本発明の記録再生装置の再生時の動作を示すフローチャートであり、ステップＳ２０１からステップＳ２０７までで構成されている。
【００１８】
図３は、本発明の記録再生装置の番組一括消去時の動作を示すフローチャートであり、ステップＳ３０１からステップＳ３０７までで構成されている。
【００１９】
図４は、使用者が再生された番組の消去設定を行う画面表示を示す図である。図４において、４０１は、当該番組を「消去不可」に設定する「消去不可ボタン」、４０２は、当該番組を「消去可」に設定する「消去可ボタン」、４０３は、当該番組を「即消去」とする「即消去ボタン」である。図５は、番組一覧の画面表示を示す図である。図５において、５０１は、番組番号、５０２は番組タイトル、５０３は消去設定である。最上部の行には、番組番号「１」の番組タイトルが「北極物語」であり、当該番組については、「消去不可」が設定されていることが示されている。図６は、番組管理メニューが画面表示された状態を示す図である。図６において、６０１は、初期設定メニュー項目、６０２は番組予約設定メニュー項目、６０３は、番組一覧メニュー項目、６０４は、視聴済み番組一括消去メニュー項目である。初期設定メニュー項目６０１は、使用者が、記録再生装置の初期設定を行うときに選択される。番組予約設定メニュー項目６０２は使用者が、録画する番組を予約するときに選択される。番組一覧メニュー項目は使用者が、記録再生装置に記録されている全ての番組一覧を見るときに指定する。視聴済み番組一括消去メニュー項目は使用者が、記録され、かつ消去設定が、「消去可」に設定された番組一覧を見るときに指定する。その他、再生に関するメニュー項目については、従来の記録再生装置と同様であるので省略する。
【００２０】
図７は、消去番組一覧が画面表示された状態を示す図である。図７において、７０１は番組番号、７０２は番組タイトル、７０３は消去設定表示、７０４は、全消去設定ボタンである。使用者が、全消去設定ボタン７０４を選択すると、消去設定が、消去可となっている全番組が、記録媒体１３から消去される。
【００２１】
図８は、特定番組の消去設定画面が表示された状態を示す図である。８０１は、消去不可ボタンである。使用者が、消去不可ボタン８０１を選択すると、当該特定番組の消去設定が「消去不可」に変更される。使用者が消去可ボタン８０２を選択すると、当該特定番組の設定が「消去可」に変更される。８０３は、即消去ボタンである。使用者が即消去ボタン８０４を選択すると、当該特定番組がただちに、記録媒体１３から消去される。
【００２２】
図９は、番組情報テーブルのデータ構造を示す説明図である。
【００２３】
図９に示すように、番組情報テーブルは、記録された１本の番組毎に１レコード生成され、当該レコードは、対応する番組が消去されない限り保持される。そして、１本の番組毎に番組Ｎｏ．９０１、番組タイトル９０２、チャンネル９０３、録画日９０４、録画開始時刻９０５、録画終了時刻９０６、録画時間９０７に加え、消去設定（未設定、即消去、消去可、消去不可の別）が記録された図である。
【００２４】
図１０は、本発明の第２の実施の形態において、消去番組一覧とそれらを消去した場合の記録媒体の空き容量が表示された状態を示す図である。１１１は、空き容量表示部である。
【００２５】
以上のように構成された記録装置について、以下にその動作を説明する。
【００２６】
まず、再生時の動作について、図２を参照して説明する。
【００２７】
記録装置１００における再生手段１２は、搭載されたハードディスクなどの記録媒体１３に記録された番組の中から、使用者により選択された番組を再生し、ＴＶモニタ（表示装置）２００に出力を開始し（ステップＳ２０１）、処理は次のステップＳ２０２に進む。
【００２８】
番組の再生は、番組の終端に達した、または、使用者により停止操作が行われた場合に停止し、（ステップＳ２０２においてＹｅｓの場合）処理は、次のステップＳ２０３に進む。
【００２９】
ステップＳ２０３において、番組管理手段１４は、当該の番組の番組情報（図９）を参照し、消去設定が「未設定」となっている場合（ステップＳ２０３において、Ｙｅｓの場合）、処理は、ステップＳ２０４に進む。ステップＳ２０４では、通知手段１５に対して、選択メッセージ表示要求を行う。通知手段１５では、要求に従い、図４のような選択メッセージを表示し、処理は次のステップＳ２０５に進む。ステップＳ２０３において、Ｎｏの場合は、すでに消去設定が設定されているので、再度消去設定を行う必要はなく、ステップＳ２０４、ステップＳ２０５の処理はスキップされ、処理はステップＳ２０６に進められる。ステップＳ２０５において、選択メッセージ上では、「即消去」「消去可」「消去不可」を、それぞれ、即消去ボタン４０３、消去可ボタン４０２、消去不可ボタン４０１を選択することにより、選択することができる。「即消去」は、視聴した番組を保存しておく必要がない場合に選択され、再生していた番組を記録媒体１３上から完全に消去する。「消去可」は、保存しておく必要はないが、とりあえず残しておきたいような場合に選択され、当該番組の消去設定を「消去可」として設定する。「消去可」と設定された番組は、番組管理手段１４により、自動的に消去する対象となる。「消去不可」は、保存しておきたい場合に選択され、当該番組の消去設定を「消去不可」として設定する。「消去不可」と設定された番組は、番組管理手段１４はもとより、使用者による消去操作でも消去することを禁止する。これは、保存しておきたい番組を誤って消去してしまわないように保護するためのものである。なお、消去設定は、番組を記録した時点では、「未設定」と設定されており、このことから、番組を記録後、初めて再生（停止時）した場合にのみ、選択メッセージは表示されることになり、一度「未設定」以外に設定したら、それ以降は、再生停止時に選択メッセージを表示することはなくなる。次のステップＳ２０６及びステップＳ２０７においては、「即消去」が指定された場合（ステップＳ２０６においてＹｅｓの場合のみ）のみ、当該番組が消去される。次に、図３を用いて、「一括消去」の処理について説明する。使用者が、図６に示す番組管理メニューにおいて、「視聴済み番組一括消去」を選択すると、番組管理手段１４は、記録媒体１３から、「消去可」が設定された番組の番組情報を抽出し、一覧表示する。（ステップＳ３０１）ＴＶモニタ２００に一覧表示された状態は図７に示す通りである。図７には、「プロ野球中継」以下４本の番組が、消去可が設定された状態であることが示されている。
【００３０】
そして使用者が、「全消去ボタン」を選択すると（ステップＳ３０２においてＹｅｓ）確認メッセージ（図示せず）を経て（ステップＳ３０５）、番組管理手段１４により一覧上の番組がすべて消去される。一方、特定の番組が選択されると（ステップＳ３０３においてＹｅｓ）、消去設定画面（図８）が表示される。（ステップＳ３０４）また、番組一覧上の番組は選択することも出来、番組を選択された場合には、番組管理手段１４により、図８のような消去設定変更メッセージを表示する。この画面にて、消去設定を「消去可」以外に変更することで、消去番組一覧から除外することができる。
【００３１】
消去設定変更が終了すると、処理は、ステップＳ３０１に戻り、再度「消去可」が設定された番組の番組情報を抽出と一覧表示が行われる。
【００３２】
以上のように、本実施の形態によれば、視聴を終了し、かつ保存する必要の無い番組など、使用者が不要とする番組を自動的に抽出し、一括して消去することで、番組消去における煩わしい操作を省略し、使用者の利便性を向上させることができる。また、消去の直前に消去設定を変更することで、消去対象から除外することもできる。
【００３３】
なお、「即消去」、「消去可」、「消去不可」を設定する代わりに、記録保持条件（記録保持期間）として「０」、「１ヶ月」、「無期限」等を設定するようにし、一括消去の時点で、「保持期間」を超過したものを、消去対象として抽出する構成としてもよい。
【００３４】
また、「即消去」、「消去可」、「消去不可」等の消去条件と記録保持条件を選択的に設定できる構成としてもよい。
【００３５】
また、保持期間から経過した期間が長い順に、番組をソートして表示し、使用者が最終的に消去するか否かの判断に役立てる構成としてもよい。
【００３６】
さらに、記録媒体の残容量が少なくなると、自動的に一括消去の機能が起動される、または「一括消去してください」というメッセージが表示される構成としてもよい。
【００３７】
（実施の形態２）
次に、本発明の実施の形態２について、図面を参照しながら説明する。本実施の形態においても、図１ないし図６及び図８に示す構成は同一である。本実施の形態では、図３の、ステップＳ３０１において「消去可」番組の抽出と一覧表示がなされるときに、「消去可」が設定された番組がすべて消去された場合の、記録媒体１３の空き容量が算出されて、図１０における１１１に示すように表示される。そのためには、番組情報テーブルには、図９に示す構成に加え、上記により、使用者は、現在の消去条件で十分な空き容量を確保できるかを見極めることができる。
【産業上の利用可能性】
【００３８】
本発明によれば視聴を終了し、かつ保存する必要の無い番組など、使用者が不要とする番組を自動的に抽出し、一括して消去することで、番組消去における煩わしい操作を省略し、使用者の利便性を向上させることができる。
【図面の簡単な説明】
【００３９】
【図１】本発明の実施の形態１における記録再生装置および番組管理方法の構成を示すブロック図
【図２】本発明の実施の形態１における記録再生装置および番組管理方法の再生時の動作説明のためのフローチャート
【図３】本発明の実施の形態１における記録再生装置および番組管理方法の番組一括消去時の動作説明のためのフローチャート
【図４】本発明の実施の形態１における消去設定を選択するメッセージの表示例を示す図
【図５】本発明の実施の形態１における消去番組一覧の表示例を示す図
【図６】本発明の実施の形態１における消去操作機能の表示例を示す図
【図７】本発明の実施の形態１における消去する番組一覧の表示例を示す図
【図８】本発明の実施の形態１における番組の消去設定変更画面の表示例を示す図
【図９】本発明の実施の形態１における番組情報テーブルのデータ構造を示す図
【図１０】本発明の実施の形態２における消去番組一覧の表示例を示す図
【符号の説明】
【００４０】
１１    記録手段
１２    再生手段
１３    記録媒体
１４    番組管理手段
１５    通知手段
１００    記録装置
２００    ＴＶモニタ
【図１】
2006318522.tif 000003
【図２】
2006318522.tif 000004
【図３】
2006318522.tif 000005
【図４】
2006318522.tif 000006
【図５】
2006318522.tif 000007
【図６】
2006318522.tif 000008
【図７】
2006318522.tif 000009
【図８】
2006318522.tif 000010
【図９】
2006318522.tif 000011
【図１０】
2006318522.tif 000012